(57)【要約】【課題】表示画質を高めることができる表示装置を得る。【解決手段】表示画面から間欠的に表示光が発せられるように制御される表示部と、表示部に表示されるべき映像の動き量に基づいて、表示光が発せられる表示光タイミングを制御する制御部とを備える。この表示装置では、表示部の表示画面から、間欠的に表示光が発せられることにより、表示が行われる。その際、表示光タイミングは、表示部に表示されるべき映像の動き量に基づいて制御される。【選択図】図１
2013101258.tif 000002
【特許請求の範囲】
【請求項１】
表示画面から間欠的に表示光が発せられるように制御される表示部と、
前記表示部に表示されるべき映像の動き量に基づいて、前記表示光が発せられる表示光タイミングを制御する制御部と
を備えた表示装置。
【請求項２】
前記表示部は、線順次走査方向において複数の部分表示領域に区分され、
前記制御部は、各部分表示領域における映像の動き量に基づいて前記表示光タイミングを制御する
請求項１に記載の表示装置。
【請求項３】
前記制御部は、各部分表示領域の映像の動き量に基づいて、線順次走査方向における動き量の重心位置を求め、その重心位置に基づいて前記表示光タイミングを制御する
請求項２に記載の表示装置。
【請求項４】
前記制御部は、前記表示光タイミングを、前記重心位置に対応する水平ラインが表示される表示期間の最後部またはその近傍に設定する
請求項３に記載の表示装置。
【請求項５】
前記制御部は、前記複数の部分表示領域のうち、前記映像の動き量が一番大きい部分表示領域を特定し、その特定された部分表示領域に基づいて前記表示光タイミングを制御する
請求項２に記載の表示装置。
【請求項６】
前記制御部は、前記表示光タイミングを、前記特定された部分表示領域に対応する水平ラインが表示される表示期間の最後部またはその近傍に設定する
請求項５に記載の表示装置。
【請求項７】
前記制御部は、複数の前記部分表示領域のうち、所定の部分表示領域における動き量を大きくするように補正する
請求項２に記載の表示装置。
【請求項８】
前記所定の部分表示領域は、表示画面の中央付近に位置している
請求項７に記載の表示装置。
【請求項９】
表示すべき画像において所定画像を識別する画像識別部を備え、
前記所定の部分表示領域は、前記所定画像が識別された部分表示領域である
請求項７に記載の表示装置。
【請求項１０】
前記所定画像は顔画像である
請求項９に記載の表示装置。
【請求項１１】
前記部分表示領域は、複数の水平ラインからなる領域である
請求項２に記載の表示装置。
【請求項１２】
前記部分表示領域は、１本の水平ラインからなる領域である
請求項２に記載の表示装置。
【請求項１３】
前記制御部は、複数のフレーム期間にわたって、前記表示光タイミングが徐々に変化するように制御する
請求項１に記載の表示装置。
【請求項１４】
前記表示部は、液晶表示部と、バックライトとを有する
請求項１に記載の表示装置。
【請求項１５】
前記バックライトは複数の部分発光部を有し、
前記液晶表示部は、各部分発光部に対応する領域において、複数の部分表示領域に区分され、
前記制御部は、前記部分発光部ごとに、対応する複数の部分表示領域のそれぞれにおける映像の動き量に基づいて発光タイミングを制御する
請求項１４に記載の表示装置。
【請求項１６】
前記表示部は、エレクトロルミネッセンス表示部である
請求項１に記載の表示装置。
【請求項１７】
表示部に表示されるべき映像の動き量を検出し、その動き量に基づいて、表示画面から間欠的に発せられる表示光のタイミングを制御し、映像表示を行う
表示方法。
【発明の詳細な説明】
【技術分野】
【０００１】
本開示は、映像を表示する表示装置、およびその表示方法に関する。
【背景技術】
【０００２】
テレビジョン受像機などの表示装置は、連続静止画からなる映像信号に基づいて、その連続静止画を順次表示するものである。これにより、表示装置では、例えば、その連続静止画が、なめらかに動く物体（動体）をサンプリングして得られたものである場合において、この連続静止画を順次表示することにより、その動体の動きが疑似的に再現されるようになっている。
【０００３】
ところで、一般に、人は、自然界において動く物体を追従しながら観察（追従視）する場合、頭や眼球などを滑らかに動かして観察する。これにより、その動体は、眼球の網膜の中央に結像するようになる。表示装置が動体を表示する場合には、画面上の動体は、順次表示される連続静止画により不連続に動くこととなるが、この場合でも、人は、その動体が連続的に滑らかに動いているものとみなして、滑らかに追従しながら観察することが知られている。
【０００４】
近年、表示装置の主力となっている液晶表示装置は、いわゆるホールド型の表示デバイスである。すなわち、このような表示装置では、静止画を表示してから次の静止画を表示するまでの１フレーム期間において、同じ画像が表示され続ける。よって、観察者が、このような表示装置に表示された動体を観察する場合には、滑らかに追従しながら観察しようとしてしまうため、網膜上の像は、その１フレーム期間において、網膜の中央を横切って移動することとなる。これにより、このような表示装置において動画を観察すると、いわゆるホールドぼけが生じ、観察者は、画質が低下したように感じてしまう。
【０００５】
このホールドぼけを改善する方法について、いくつかの検討がなされている。例えば、特許文献１には、バックライトをブリンキング駆動し、画像がホールド表示される時間を短くすることにより、網膜像のスリップ長を短くして、ホールドぼけの低減を図る液晶表示装置が開示されている。
【先行技術文献】
【特許文献】
【０００６】
【特許文献１】特開２００８−２６８４３６号公報
【発明の概要】
【発明が解決しようとする課題】
【０００７】
ところで、表示装置では、表示画質のさらなる向上が望まれている。しかしながら、特許文献１には、表示画質のさらなる向上についての具体的な記載がない。
【０００８】
本開示はかかる問題点に鑑みてなされたもので、その目的は、表示画質を高めることができる表示装置および表示方法を提供することにある。
【課題を解決するための手段】
【０００９】
本開示の表示装置は、表示部と、制御部とを備えている。表示部は、表示画面から間欠的に表示光が発せられるように制御されるものである。制御部は、前記表示部に表示されるべき映像の動き量に基づいて、前記表示光が発せられる表示光タイミングを制御するものである。
【００１０】
本開示の表示方法は、表示部に表示されるべき映像の動き量を検出し、その動き量に基づいて、表示画面から間欠的に発せられる表示光のタイミングを制御し、映像表示を行うものである。
【００１１】
本開示の表示装置および表示方法では、表示部の表示画面から、間欠的に表示光が発せられることにより、表示が行われる。その際、表示光タイミングは、表示部に表示されるべき映像の動き量に基づいて制御される。
【発明の効果】
【００１２】
本開示の表示装置および表示方法によれば、表示部に表示されるべき映像の動き量に基づいて表示光タイミングを制御するようにしたので、表示画質を高めることができる。
【図面の簡単な説明】
【００１３】
【図１】本開示の実施の形態に係る表示装置の一構成例を表すブロック図である。
【図２】図１に示した表示駆動部および液晶表示部の一構成例を表すブロック図である。
【図３】図２に示した画素の一構成例を表す回路図である。
【図４】第１の実施の形態に係るバックライト駆動部の一動作例を表す模式図である。
【図５】図４に示した表示装置の一動作例を表すタイミング波形図である。
【図６】図４に示した表示装置の他の動作例を表すタイミング波形図である。
【図７】図１に示した表示装置の他の動作例を表すタイミング波形図である。
【図８】第１の実施の形態に係るバックライト駆動部の他の動作例を表す模式図である。
【図９】図８に示した例における表示装置の一動作例を表すタイミング波形図である。
【図１０】第１の実施の形態に係るバックライト駆動部の他の動作例を表す模式図である。
【図１１】図１０に示した例における表示装置の一動作例を表すタイミング波形図である。
【図１２】第１の実施の形態に係るバックライト駆動部の他の動作例を表す模式図である。
【図１３】図１２に示した例における表示装置の一動作例を表すタイミング波形図である。
【図１４】第１の実施の形態の変形例に係るバックライト駆動部の一動作例を表す模式図である。
【図１５】第１の実施の形態の他の変形例に係る表示装置の一構成例を表すブロック図である。
【図１６】図１５に示した表示装置の一動作例を表すタイミング波形図である。
【図１７】第１の実施の形態の他の変形例に係る表示装置の一構成例を表すブロック図である。
【図１８】図１７に示したバックライト駆動部の一動作例を表す模式図である。
【図１９】図１７に示した表示装置の一動作例を表すタイミング波形図である。
【図２０】第２の実施の形態に係るバックライト駆動部の一動作例を表す模式図である。
【図２１】第２の実施の形態の変形例に係る表示装置の一構成例を表すブロック図である。
【図２２】図２２に示したバックライト駆動部の一動作例を表す模式図である。
【図２３】変形例に係る表示装置の一動作例を表すタイミング図である。
【図２４】変形例に係る表示装置の一構成例を表すブロック図である。
【発明を実施するための形態】
【００１４】
以下、本開示の実施の形態について、図面を参照して詳細に説明する。なお、説明は以下の順序で行う。
１．第１の実施の形態
２．第２の実施の形態
【００１５】
＜１．第１の実施の形態＞
［構成例］
図１は、第１の実施の形態に係る表示装置の一構成例を表すものである。表示装置１は、バックライトを有する透過型の液晶表示装置である。なお、本開示の実施の形態に係る表示方法は、本実施の形態により具現化されるので、併せて説明する。
【００１６】
表示装置１は、制御部１１と、表示駆動部２０と、液晶表示部３０と、動きベクトル検出部１２と、バックライト駆動部１３と、バックライト４０とを備えている。
【００１７】
制御部１１は、映像信号Ｓdispに基づいて、表示駆動部２０、動きベクトル検出部１２、バックライト駆動部１３がお互いに同期して動作するように制御する回路である。具体的には、制御部１１は、後述するように、表示駆動部２０に対して映像信号Ｓdispおよび表示制御信号を供給し、動きベクトル検出部１２に対して映像信号Ｓdispおよび動きベクトル検出制御信号を供給し、バックライト駆動部１３に対してバックライト制御信号を供給する。
【００１８】
表示駆動部２０は、制御部１１から供給される映像信号Ｓdispに基づいて、液晶表示部３０を駆動するものである。液晶表示部３０は、液晶表示素子により構成された表示部であり、バックライト４０から射出した光を変調することにより表示を行うようになっている。
【００１９】
図２は、表示駆動部２０および液晶表示部３０のブロック図の一例を表すものである。  表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、制御部１１から供給された映像信号Ｓdispを映像信号Ｓdisp2としてデータドライバ２３へ供給するものである。ゲートドライバ２２は、タイミング制御部２１によるタイミング制御に従って、液晶表示部３０内の画素Ｐixを行ごとに順次選択して、線順次走査するものである。データドライバ２３は、液晶表示部３０の各画素Ｐixへ、映像信号Ｓdisp2に基づく画素信号を供給するものである。具体的には、データドライバ２３は、映像信号Ｓdisp2に基づいてＤ／Ａ（デジタル／アナログ）変換を行うことにより、アナログ信号である画素信号を生成し、各画素Ｐixへ供給するようになっている。
【００２０】
液晶表示部３０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐixを構成している。液晶表示部３０には、図２に示したように、画素Ｐixがマトリックス状に配置されている。
【００２１】
図３は、画素Ｐixの回路図の一例を表すものである。画素Ｐixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ２２に接続され、データ線ＳＧＬはデータドライバ２３に接続されている。
【００２２】
液晶表示部３０は、図１に示したように、３つの領域Ｚ１〜Ｚ３に区分されている。バックライト駆動部１３は、後述するように、これらの領域Ｚ１〜Ｚ３ごとに画像の変化を示す動き量Ｎを求めるようになっている。
【００２３】
動きベクトル検出部１２は、映像信号Ｓdispにより供給される一連のフレーム画像に基づいて、画像の変化を示す動きベクトルを検出するものである。具体的には、動きベクトル検出部１２は、供給された一連のフレーム画像のうちの時間的に隣接する２つのフレーム画像の画像情報に基づいて、例えば画素単位で、表示内容の水平方向および垂直方向の動きを検出し、動きベクトルを求める。そして、動きベクトル検出部１２は、画素単位で求めた一連の動きベクトルを、動きベクトル信号Ｓｖとして出力するようになっている。なお、この例では画素単位で動きベクトルを求めたが、これに限定されるものではなく、これに代えて、例えば、複数の画素からなる画素ブロック単位で表示内容の動きを検出して動きベクトルを求めるようにしてもよい。
【００２４】
バックライト駆動部１３は、制御部１１から供給されたバックライト制御信号、および動きベクトル検出部１２から供給された動きベクトル信号Ｓｖに基づいて、バックライト４０が、液晶表示部３０における表示に同期して間欠的に発光するように、バックライト４０を駆動するものである。具体的には、バックライト駆動部１３は、後述するように、動きベクトル信号Ｓｖに基づいて、各画素の動きベクトルの大きさを、領域Ｚ１〜Ｚ３のそれぞれにおいて積分することにより、領域Ｚ１〜Ｚ３のそれぞれにおける映像の動き量Ｎを求めた後、それらを用いて、線順次走査方向の動き量Ｎの重心位置ＣＧを求める。そして、バックライト駆動部１３は、その重心位置ＣＧに応じたタイミングでバックライト４０が発光するように、バックライト４０を駆動するようになっている。
【００２５】
バックライト４０は、バックライト駆動部１３から供給される駆動信号に基づいて間欠的に発光（ブリンキング）し、液晶表示部３０に対してその光を射出するものである。このバックライト４０は、例えば、ＬＥＤ（Light Emitting Diode）を用いて構成することができる。なお、これに限定されるものではなく、例えばＣＣＦＬ（Cold Cathode Fluorescent Lamp）により構成してもよい。
【００２６】
ここで、液晶表示部３０およびバックライト４０は、本開示における「表示部」の一具体例に対応する。バックライト駆動部１３は、本開示における「制御部」の一具体例に対応する。
【００２７】
［動作および作用］
続いて、本実施の形態の表示装置１の動作および作用について説明する。
【００２８】
（全体動作概要）
まず、図１を参照して、表示装置１の全体動作概要を説明する。制御部１１は、映像信号Ｓdispに基づいて、表示駆動部２０、動きベクトル検出部１２、およびバックライト駆動部１３がお互いに同期して動作するように制御する。表示駆動部２０は、液晶表示部３０を駆動する。液晶表示部３０は、バックライト４０から射出した光を変調することにより表示を行う。
【００２９】
動きベクトル検出部１２は、映像信号Ｓdispにより供給される一連のフレーム画像に基づいて、画像の変化を示す動きベクトルを検出し、動きベクトル信号Ｓｖを生成する。バックライト駆動部１３は、バックライト４０が間欠的に発光するようにバックライト４０を駆動する。その際、バックライト駆動部１３は、動きベクトル信号Ｓｖに基づいて領域Ｚ１〜Ｚ３ごとの映像の動き量Ｎを求めた後、線順次走査方向の動き量Ｎの重心位置ＣＧを求める。そして、バックライト駆動部１３は、その重心位置ＣＧに応じたタイミングでバックライト４０が発光するように、バックライト４０を駆動する。バックライト４０は、バックライト駆動部１３から供給される駆動信号に基づいて発光し、液晶表示部３０に対してその光を射出する。
【００３０】
（詳細動作）
まず、バックライト駆動部１３の動作を説明する。
【００３１】
図４は、バックライト駆動部１３における重心位置ＣＧの取得動作を表すものである。ここでは、表示画面Ｓ内をボール９が移動する場合を例に説明する。図４（Ａ）〜（Ｃ）は、表示画面Ｓの領域Ｚ１〜Ｚ３内をボール９が移動する場合（ケースＣ１〜Ｃ３）をそれぞれ示している。
【００３２】
動きベクトル検出部１２は、映像信号Ｓdispにより供給される一連のフレーム画像に基づいて、画像の変化を示す動きベクトルＳｖを検出する。バックライト駆動部１３は、まず、この動きベクトル信号Ｓｖに基づいて、領域Ｚ１〜Ｚ３のそれぞれにおける映像の動き量Ｎを求める。
【００３３】
図４（Ａ）に示したように、表示画面Ｓの領域Ｚ１内をボール９が移動する場合（ケースＣ１）では、領域Ｚ１においてのみ動きがあるため、動き量Ｎは、領域Ｚ１において大きな値となる（図４（Ａ）の右図）。バックライト駆動部１３は、この動き量Ｎの分布に基づいて、重心位置ＣＧ１を求める。すなわち、重心位置ＣＧ１は、領域Ｚ１の線順次走査方向における中心位置である。
【００３４】
同様に、表示画面Ｓの領域Ｚ２内をボール９が移動する場合（ケースＣ２）では、動き量Ｎは、領域Ｚ２において大きな値となり（図４（Ｂ））、表示画面Ｓの領域Ｚ３内をボール９が移動する場合（ケースＣ３）では、動き量Ｎは、領域Ｚ３において大きな値となる（図４（Ｃ））。バックライト駆動部１３は、これらの動き量Ｎの分布に基づいて、重心位置ＣＧ２，ＣＧ３をそれぞれ求める。
【００３５】
バックライト駆動部１３は、このようにして取得した重心位置ＣＧ（ＣＧ１〜ＣＧ３）に基づいて、バックライト４０を駆動する。
【００３６】
図５は、ケースＣ１における、表示装置１の表示動作のタイミング図を表すものであり、（Ａ）は液晶表示部３０の動作を示し、（Ｂ）は液晶表示部３０の画素Ｐixにおける光透過率を示し、（Ｃ）はバックライト４０の動作を示す。
【００３７】
図５（Ａ）の縦軸は、液晶表示部３０の線順次走査方向の走査位置を示している。また、図５（Ａ）において、例えば、“Ｆ(n)”は液晶表示部３０がｎ番目のフレーム画像Ｆ(n)の表示を行っていることを示し、“Ｆ(n+1)”は液晶表示部３０が（ｎ＋１）番目のフレーム画像Ｆ(n+1)の表示を行っていることを示している。また、図５（Ｃ）において、“ＯＮ”は、バックライト４０が発光していることを示し（発光期間ＰＬ）、“ＯＦＦ”は、バックライト４０が消灯していることを示す。
【００３８】
表示装置１では、周期Ｔ０で線順次走査が行われ、フレーム画像Ｆの表示が行われる。ここで、周期Ｔ０は、例えば、１６．７［msec］（＝１／６０［Hz］）にすることができる。なお、周期Ｔ０は、これに限定されるものではなく、例えば、２０［msec］（＝１／５０［Hz］）、２０．８［msec］（＝１／４８［Hz］）などにすることが可能である。
【００３９】
液晶表示部３０では、タイミングｔ０〜ｔ１の期間において、表示駆動部２０から供給される駆動信号に基づき、最上部から最下部に向かって線順次走査が行われ、フレーム画像Ｆ(n)の表示が行われる（図５（Ａ））。これにより、液晶表示部３０の各水平ラインに係る画素Ｐixは、画素信号が書き込まれてから次に書き込まれるまでの期間（表示期間Ｐdisp）に、その画素信号に対して応答し、表示期間Ｐdispの期間内にほぼ応答を完了する。
【００４０】
ケースＣ１では、図４（Ａ）に示したように、ボール９が領域Ｚ１において移動している。このことは、画素信号は、領域Ｚ１ではフレーム期間ごとに大きく変化し、一方、領域Ｚ２，Ｚ３では殆ど変化しないことを意味している。よって、領域Ｚ１内に位置する重心位置ＣＧ１に対応する水平ラインでは、画素Ｐixは、図５（Ｂ）に示したように、タイミングｔ１１において画素信号が書き込まれ、タイミングｔ１１〜ｔ１２の期間（表示期間Ｐdisp）に、その画素信号に対して応答して光透過率が変化する。一方、領域Ｚ２，Ｚ３では、画素Ｐixの光透過率は殆ど変化しない。
【００４１】
バックライト駆動部１３は、重心位置ＣＧに基づいて、バックライト４０を駆動する。具体的には、ケースＣ１では、バックライト駆動部１３は、重心位置ＣＧ１に対応する水平ラインに係る表示期間Ｐdispの最後部に発光期間ＰＬを設けるように、バックライト４０を駆動する（図５（Ｃ））。すなわち、バックライト４０は、重心位置ＣＧ１に係る画素Ｐixが画素信号に対する応答をほぼ完了したタイミングで発光するため、観察者が、画素Ｐixの過渡的な応答を観察するおそれを低減することができる。このように、表示装置１は、動きのある領域Ｚ１における表示に適したタイミングで、バックライト４０を発光させるため、画質を高めることができる。
【００４２】
なお、この例では、重心位置ＣＧ１に対応する水平ラインに係る表示期間Ｐdispの最後部に発光期間ＰＬを設けたが、これに限定されるものではなく、観察者が画質の低下を感じない範囲で、表示期間Ｐdispの最後部からややずれていてもよい。
【００４３】
図６は、ケースＣ２における、表示装置１の表示動作のタイミング図を表すものであり、（Ａ）は液晶表示部３０の動作を示し、（Ｂ）は液晶表示部３０の画素Ｐixにおける光透過率を示し、（Ｃ）はバックライト４０の動作を示す。図７は、ケースＣ３における、表示装置１の表示動作のタイミング図を表すものであり、（Ａ）は液晶表示部３０の動作を示し、（Ｂ）は液晶表示部３０の画素Ｐixにおける光透過率を示し、（Ｃ）はバックライト４０の動作を示す。
【００４４】
ケースＣ２では、図４（Ｂ）に示したように、ボール９が領域Ｚ２において移動している。よって、領域Ｚ２内に位置する重心位置ＣＧ２に対応する水平ラインでは、画素Ｐixは、図６（Ｂ）に示したように、タイミングｔ１３において画素信号が書き込まれ、タイミングｔ１３〜ｔ１４の期間（表示期間Ｐdisp）に、その画素信号に対して応答して光透過率が変化する。一方、領域Ｚ１，Ｚ３では、画素Ｐixの光透過率は殆ど変化しない。バックライト駆動部１３は、この重心位置ＣＧ２に対応する水平ラインに係る表示期間Ｐdispの最後部に発光期間ＰＬを設けるように、バックライト４０を駆動する（図６（Ｃ））。このように、表示装置１は、ケースＣ２では、動きのある領域Ｚ２における表示に適したタイミングで、バックライト４０を発光させるため、ケースＣ１の場合と同様に、画質を高めることができる。
【００４５】
ケースＣ３についても全く同様である。すなわち、ケースＣ３では、図４（Ｃ）に示したように、ボール９が領域Ｚ３において移動している。よって、領域Ｚ３内に位置する重心位置ＣＧ３に対応する水平ラインでは、画素Ｐixは、図７（Ｂ）に示したように、タイミングｔ１５において画素信号が書き込まれ、タイミングｔ１５〜ｔ１６の期間（表示期間Ｐdisp）に、その画素信号に対して応答して光透過率が変化する。一方、領域Ｚ１，Ｚ２では、画素Ｐixの光透過率は殆ど変化しない。バックライト駆動部１３は、この重心位置ＣＧ３に対応する水平ラインに係る表示期間Ｐdispの最後部に発光期間ＰＬを設けるように、バックライト４０を駆動する（図７（Ｃ））。このように、表示装置１は、ケースＣ３では、動きのある領域Ｚ３における表示に適したタイミングで、バックライト４０を発光させるため、ケースＣ１の場合と同様に、画質を高めることができる。
【００４６】
表示装置１では、動きのある領域における表示に適したタイミングで、バックライト４０を発光させる。すなわち、図５（Ｂ），図６（Ｂ），図７（Ｂ）に示したように、動きの無い領域では、画素Ｐixの光透過率は時間によらずほぼ一定であるため、表示装置１は、これらの領域では、どのタイミングでバックライト４０を発光させても、ほぼ同じ映像を表示することができる。一方、動きのある領域では、上述したように、観察者が、画素Ｐixの過渡的な応答を観察しないようにするため、画素信号に対する応答をほぼ完了したタイミングでバックライト４０を発光させる必要がある。表示装置１では、この動きのある領域における表示に適したタイミングで、バックライト４０を発光させることにより、動画を表示する際の画質を高めることができる。
【００４７】
以上では、表示画面Ｓの領域Ｚ１〜Ｚ３のうちの１つの領域においてのみ動きがある場合について説明した。次に、表示画面Ｓの領域Ｚ１〜Ｚ３のうちの複数の領域において動きがある場合について説明する。
【００４８】
図８は、領域Ｚ１，Ｚ２内を、それぞれボール９Ａ，９Ｂが同じ速度で移動している場合（ケースＣ４）の、バックライト駆動部１３の動作を表すものである。図９は、この場合における、表示装置１の表示動作のタイミング図を表すものであり、（Ａ）は液晶表示部３０の動作を示し、（Ｂ）はバックライト４０の動作を示す。
【００４９】
ケースＣ４では、動き量Ｎは、図８に示したように、領域Ｚ１，Ｚ２において同じ値になる。よって、重心位置ＣＧ４は、領域Ｚ１と領域Ｚ２の境界位置となる。バックライト駆動部１３は、この重心位置ＣＧ４に対応する水平ラインに係る表示期間Ｐdispの最後部に発光期間ＰＬを設けるように、バックライト４０を駆動する（図９（Ｂ））。
【００５０】
図１０は、領域Ｚ１，Ｚ２内を、それぞれボール９Ａ，９Ｂが異なる速度で移動している場合（ケースＣ５）の、バックライト駆動部１３の動作を表すものである。図１１は、この場合における、表示装置１の表示動作のタイミング図を表すものであり、（Ａ）は液晶表示部３０の動作を示し、（Ｂ）はバックライト４０の動作を示す。
【００５１】
ケースＣ５では、ボール９Ａは、ボール９Ｂよりも速い速度で移動しているため、図１０に示したように、領域Ｚ１における動き量Ｎは、領域Ｚ２における動き量Ｎよりも大きい値になる。よって、重心位置ＣＧ５は、領域Ｚ１と領域Ｚ２の境界よりもやや領域Ｚ１側の位置となる。バックライト駆動部１３は、この重心位置ＣＧ５に対応する水平ラインに係る表示期間Ｐdispの最後部に発光期間ＰＬを設けるように、バックライト４０を駆動する（図１１（Ｂ））。
【００５２】
図１２は、領域Ｚ１〜Ｚ３内を、それぞれボール９Ａ〜９Ｃが同じ速度で移動している場合（ケースＣ６）の、バックライト駆動部１３の動作を表すものである。図１３は、この場合における、表示装置１の表示動作のタイミング図を表すものであり、（Ａ）は液晶表示部３０の動作を示し、（Ｂ）はバックライト４０の動作を示す。
【００５３】
ケースＣ６では、動き量Ｎは、図１２に示したように、領域Ｚ１〜Ｚ３において同じ値になる。よって、重心位置ＣＧ６は、領域Ｚ２の線順次走査方向における中心位置となる。バックライト駆動部１３は、この重心位置ＣＧ６に対応する水平ラインに係る表示期間Ｐdispの最後部に発光期間ＰＬを設けるように、バックライト４０を駆動する（図１３（Ｂ））。
【００５４】
このように、表示装置１は、表示画面Ｓの領域Ｚ１〜Ｚ３のうちの複数の領域において動きがある場合でも、その動きのある領域における表示に適したタイミングでバックライト４０を発光させることにより、画質を高めることができる。
【００５５】
［効果］
以上のように本実施の形態では、液晶表示部に表示されるべき映像の動き量に基づいてバックライトの発光タイミングを制御するようにしたので、常に固定されたタイミングでバックライトを発光させる場合に比べて、動画を表示する際の画質を高めることができる。
【００５６】
また、本実施の形態では、液晶表示部を複数の領域に区分し、動き量の重心位置に基づいてバックライトの発光タイミングを制御するようにしたので、例えば、複数の領域において動きがある場合でも、動きがあるそれらの領域における表示に適したタイミングでバックライトを発光させることができるため、画質を高めることができる。
【００５７】
［変形例１−１］
上記実施の形態では、液晶表示部３０を３つの領域Ｚ１〜Ｚ３に区分したが、これに限定されるものではなく、これに代えて、２つの領域に区分してもよいし、４つ以上の領域に区分してもよい。例えば、液晶表示部３０の線順次走査方向の画素数と同じ数に区分してもよい。この場合、各領域は水平ラインに対応する。図１４は、各領域を水平ラインで構成する場合の、バックライト駆動部１３Ｂの動作を表すものである。バックライト駆動部１３Ｂは、まず、動きベクトル検出部１２から供給された動きベクトル信号Ｓｖに基づいて、各水平ラインにおける映像の動き量Ｎを求め、その動き量Ｎの分布を得る（図１４の右図）。そして、バックライト駆動部１３Ｂは、この動き量Ｎの分布に基づいて、線順次走査方向の動き量Ｎの重心位置ＣＧを求める。そして、バックライト駆動部１３Ｂは、その重心位置ＣＧに応じたタイミングでバックライト４０が発光するように、バックライト４０を駆動する。
【００５８】
［変形例１−２］
上記実施の形態では、映像信号Ｓdispに基づくフレームレート（周期Ｔ０）で表示を行うようにしたが、これに限定されるものではなく、これに代えて、例えばフレームレート変換を行ってもよい。以下に、この例について詳細に説明する。
【００５９】
図１５は、本変形例に係る表示装置１Ｃの一構成例を表すものである。表示装置１は、フレームレート変換部１９と、液晶表示部３０Ｃとを備えている。フレームレート変換部１９は、時系列上において互いに隣接する２つのフレーム画像Ｆに基づいて、補間フレーム画像Ｆｉを生成し、フレーム画像Ｆと補間フレーム画像Ｆｉとを交互に出力することにより、フレームレートを２倍に変換する回路である。フレームレート変換部１９は、動きベクトル検出部１２Ｃを有している。動きベクトル検出部１２Ｃは、上記実施の形態に係る動きベクトル検出部１２と同様の機能を有している。フレームレート変換部１９は、この動きベクトル検出部１２Ｃが生成する動きベクトルに基づいて、２つのフレーム画像Ｆから補間フレーム画像Ｆｉを生成する。液晶表示部３０Ｃは、いわゆる２倍速駆動に対応した液晶表示パネルである。
【００６０】
図１６は、表示装置１Ｃにおける表示動作のタイミング図を表すものであり、（Ａ）は液晶表示部３０Ｃの動作を示し、（Ｂ）はバックライト４０の動作を示す。この例は、ボール９が領域Ｚ１内を移動している場合（ケースＣ１，図４（Ａ））を示している。また、図１６（Ａ）において、例えば、“Ｆｉ(n)”は液晶表示部３０がｎ番目の補間フレーム画像Ｆｉ(n)の表示を行っていることを示している。
【００６１】
表示装置１Ｃでは、周期Ｔ０において、フレーム画像Ｆに係る線順次走査、および補間フレーム画像Ｆｉに係る線順次走査を行う。各線順次走査の周期Ｔ１は、例えば、８．３［msec］（＝Ｔ０／２）である。
【００６２】
液晶表示部３０Ｃでは、タイミングｔ３〜ｔ４の期間において線順次走査が行われ、フレーム画像Ｆ(n)の表示が行われる（図１６（Ａ））。これにより、各水平ラインに係る画素Ｐixは、画素信号が書き込まれてから次に書き込まれるまでの表示期間ＰdispAに、その画素信号に対して応答する。バックライト駆動部１３は、ケースＣ１に係る重心位置ＣＧ１に対応する水平ラインに係る表示期間ＰdispAの最後部に発光期間ＰＬを設けるように、バックライト４０を駆動する（図１６（Ｂ））。
【００６３】
次に、液晶表示部３０Ｃでは、タイミングｔ４〜ｔ５の期間において、線順次走査が行われ、補間フレーム画像Ｆｉ(n)の表示が行われる（図１６（Ａ））。各水平ラインに係る画素Ｐixは、画素信号が書き込まれてから次に書き込まれるまでの表示期間ＰdispBに、その画素信号に対して応答する。バックライト駆動部１３は、ケースＣ１に係る重心位置ＣＧ１に対応する水平ラインに係る表示期間ＰdispBの最後部に発光期間ＰＬを設けるように、バックライト４０を駆動する（図１６（Ｂ））。
【００６４】
［変形例１−３］
上記実施の形態では、バックライト４０は、バックライトの全面が同じタイミングで発光したが、これに限定されるものではなく、これに代えて、複数の部分発光部を有するように構成し、各部分発光部が独立して発光するように構成してもよい。以下に、詳細に説明する。
【００６５】
図１７は、本変形例に係る表示装置１Ｄの一構成例を表すものである。表示装置１Ｄは、バックライト５０と、バックライト駆動部１３Ｄとを備えている。
【００６６】
バックライト５０は、この例では、線順次走査方向に並設された２つの部分発光部５０Ａ，５０Ｂを有している。これらの部分発光部５０Ａ，５０Ｂは、独立して発光できるように構成されている。液晶表示部３０は、この例では、６つの領域ＺＡ１〜ＺＡ３，ＺＢ１〜ＺＢ３に区分されている。そして、部分発光部５０Ａから射出した光は、液晶表示部３０における対応する領域ＺＡ１〜ＺＡ３に入射するようになっており、部分発光部５０Ｂから射出した光は、液晶表示部３０における対応する領域ＺＢ１〜ＺＢ３に入射するようになっている。
【００６７】
バックライト駆動部１３Ｄは、動きベクトル信号Ｓｖに基づいて、各画素の動きベクトルの大きさを、領域ＺＡ１〜ＺＡ３，ＺＢ１〜ＺＢ３のそれぞれにおいて積分することにより、各領域における映像の動き量Ｎを求め、その後、領域ＺＡ１〜ＺＡ３における動き量Ｎの分布に基づいて、この領域における動き量Ｎの重心位置ＣＧＡを求めるとともに、領域ＺＢ１〜ＺＢ３における動き量Ｎの分布に基づいて、この領域における動き量Ｎの重心位置ＣＧＢを求める。そして、バックライト駆動部１３Ｄは、その重心位置ＣＧＡに応じたタイミングで部分発光部５０Ａが発光し、重心位置ＣＧＢに応じたタイミングで部分発光部５０Ｂが発光するように、バックライト５０を駆動する。
【００６８】
図１８は、領域ＺＡ１，ＺＢ２内を、それぞれボール９Ａ，９Ｂが移動している場合の、バックライト駆動部１３Ｄの動作を表すものである。この場合、動き量Ｎは、領域ＺＡ１，ＺＢ２において大きな値となる。バックライト駆動部１３Ｄは、この動き量Ｎの分布に基づいて、領域ＺＡ１〜ＺＡ３における動き量Ｎの重心位置ＣＧＡと、領域ＺＢ１〜ＺＢ３における動き量Ｎの重心位置ＣＧＢを求める。
【００６９】
図１９は、図１８に示した場合における、表示装置１Ｄの表示動作のタイミング図を表すものであり、（Ａ）は液晶表示部３０の動作を示し、（Ｂ），（Ｃ）はバックライト５０の部分発光部５０Ａ，５０Ｂの動作をそれぞれ示す。バックライト駆動部１３Ｄは、部分発光部５０Ａに対しては、重心位置ＣＧＡに対応する水平ラインに係る表示期間Ｐdispの最後部に発光期間ＰＬを設け（図１９（Ｂ））、部分発光部５０Ｂに対しては、重心位置ＣＧＢに対応する水平ラインに係る表示期間Ｐdispの最後部に発光期間ＰＬを設けるように（図１９（Ｃ））、バックライト５０を駆動する。
【００７０】
なお、この例では、バックライト５０は、２つの部分発光部５０Ａ，５０Ｂを有するように構成したが、これに限定されるものではなく、これに代えて、３つ以上の部分発光部を有するように構成してもよい。
【００７１】
［変形例１−４］
上記実施の形態では、バックライト駆動部１３は、各領域Ｚ１〜Ｚ３の動き量Ｎの重心位置ＣＧに基づいてバックライト４０の発光タイミングを制御したが、これに限定されるものではなく、これに代えて、例えば、領域Ｚ１〜Ｚ３のうち、動き量Ｎが最大になる領域に基づいてバックライト４０の発光タイミングを制御してもよい。具体的には、例えば、領域Ｚ１における動き量Ｎが最大になった場合には、領域Ｚ１の線順次走査方向における中心位置に基づいて、上記実施の形態と同様に発光タイミングを制御することができる。また、仮に、複数の領域において動き量Ｎが最大になった場合には、この複数の領域の重心位置に基づいて、上記実施の形態と同様に発光タイミングを制御してもよい。
【００７２】
＜２．第２の実施の形態＞
次に、第２の実施の形態に係る表示装置２について説明する。本実施の形態は、領域Ｚ１〜Ｚ３のうち、観察者が注目する可能性が高い領域における動き量Ｎを大きくするように補正するものである。なお、上記第１の実施の形態に係る表示装置１と実質的に同一の構成部分には同一の符号を付し、適宜説明を省略する。
【００７３】
表示装置２は、図１に示したように、バックライト駆動部６３を備えている。バックライト駆動部６３は、上記第１の実施の形態に係るバックライト駆動部１３と同様に、動きベクトル信号Ｓｖに基づいて、領域Ｚ１〜Ｚ３のそれぞれにおける映像の動き量Ｎを求め、その後、領域Ｚ１〜Ｚ３における動き量Ｎの分布に基づいて、動き量Ｎの重心位置ＣＧを求め、その重心位置ＣＧに応じたタイミングでバックライト４０が発光するように、バックライト４０を駆動する。その際、バックライト駆動部６３は、領域Ｚ１〜Ｚ３のうち、表示画面Ｓの中央に位置する領域Ｚ２における動き量Ｎを大きくするように補正する。
【００７４】
図２０は、バックライト駆動部６３の一動作例を表すものである。この例では、表示画面Ｓに表示される映像は、動いている電車から風景を撮影したものである。この例では、遠くにある山は領域Ｚ１，Ｚ２内をゆっくり移動し、近くにある木々は領域Ｚ３内を速く移動する。
【００７５】
バックライト駆動部６３は、領域Ｚ１〜Ｚ３における動き量Ｎのうち、領域Ｚ２の動き量Ｎをより大きい値（この例では１０倍）に補正する（図２０の右図）。そして、バックライト駆動部６３は、この補正された動き量Ｎの分布に基づいて、重心位置ＣＧを求める。そしてバックライト駆動部６３は、上記第１の実施の形態の場合と同様に、この重心位置ＣＧに対応する水平ラインに係る表示期間Ｐdispの最後部に発光期間ＰＬを設けるように、バックライト４０を駆動する。すなわち、表示装置２は、重心位置ＣＧ（領域Ｚ２）における表示に適したタイミングでバックライト４０を発光させる。
【００７６】
一般に、観察者は、表示画面Ｓの端よりも表示画面Ｓの中央部を注目する可能性が高いと考えられる。よって、表示装置２では、バックライト駆動部６３は、表示画面Ｓの中央に位置する領域Ｚ２における動き量Ｎを大きい値に補正する。これにより、重心位置ＣＧを、観察者が注目する可能性が高い表示画面Ｓの中央に近づけることができる。
【００７７】
図２０の例において、仮に、このような補正を行わない場合には、重心位置ＣＧＲは、領域Ｚ３内に位置することとなる。すなわち、この例では、領域Ｚ３における木々の動きが速いため、重心位置ＣＧＲは、その木々が表示される領域Ｚ３に位置する。よって、この場合には、表示装置は、重心位置ＣＧＲ（領域Ｚ３）における表示に適したタイミングでバックライト４０を発光させることとなる。しかしながら、この例では、観察者は、表示画面Ｓの中央部に表示された山に注目する可能性が高いと考えられるため、表示装置は、その山が表示された領域Ｚ１〜Ｚ２における表示に適したタイミングでバックライト４０を発光することが望ましい。
【００７８】
表示装置２では、バックライト駆動部６３は、図２０に示したように、表示画面Ｓの中央に位置する、観察者が注目する可能性が高い領域Ｚ２における動き量Ｎを、大きい値に補正する。これにより、表示装置２では、重心位置ＣＧを、観察者が注目する可能性が高い表示画面Ｓの中央に近づけることができ、動画を表示する際の画質を高めることができる。
【００７９】
以上のように本実施の形態では、領域Ｚ２における動き量を大きい値に補正するようにしたので、動画を表示する際の画質を高めることができる。その他の効果は、上記第１の実施の形態の場合と同様である。
【００８０】
［変形例２−１］
上記実施の形態では、表示画面Ｓの中央に位置する領域Ｚ２における動き量Ｎを大きい値に補正したが、これに限定されるものではなく、これに代えて、例えば、それ以外の領域Ｚ１，Ｚ３における動き量Ｎを小さい値に補正してもよい。
【００８１】
［変形例２−２］
上記実施の形態では、動き量Ｎを補正する領域を領域Ｚ２に固定したが、これに限定されるものではなく、動き量Ｎを補正する領域を動的に変更するようにしてもよい。以下に、この場合の例を詳細に説明する。
【００８２】
図２１は、本変形例に係る表示装置２Ｂの一構成例を表すものである。表示装置２Ｂは、制御部６１と、顔検出部６４と、バックライト駆動部６３Ｂとを備えている。制御部６１は、映像信号Ｓdispに基づいて、表示駆動部２０、動きベクトル検出部１２、顔検出部６４、バックライト駆動部６３がお互いに同期して動作するように制御する回路である。具体的には、制御部６１は、顔検出部６４に対して、映像信号Ｓdispおよび顔検出制御信号を供給するものである。顔検出部６４は、映像信号Ｓdispに基づいて、表示画面Ｓに表示されるべき人の顔を検出し、表示画面Ｓにおける顔の位置や大きさなどを求め、これらの情報（顔検出情報ＩＦ）をバックライト駆動部６３Ｂに供給するものである。バックライト駆動部６３Ｂは、バックライト駆動部６３の機能に加え、さらにこの顔検出情報ＩＦに基づいて、領域Ｚ１〜Ｚ３のうちの、動き量Ｎを補正する領域を選択する機能を有している。
【００８３】
図２２は、バックライト駆動部６３Ｂの一動作例を表すものである。この例では、表示画面Ｓに表示される映像は、ビデオカメラの撮影方向を変化させながら撮影したものである。この例では、雲、木、人物（顔）が領域Ｚ１〜Ｚ３内をそれぞれ移動している。すなわち、この例では、雲、木、人物（顔）の表示画面Ｓ内における移動速度はほぼ同じである。
【００８４】
顔検出部６４は、表示画面Ｓに表示されるべき顔を検出し、顔検出情報ＩＦをバックライト駆動部６３Ｂに供給する。バックライト駆動部６３Ｂは、その顔検出情報ＩＦに基づいて、顔が表示される領域（この例では領域Ｚ１）を特定する。そして、バックライト駆動部６３Ｂは、顔が表示される領域（領域Ｚ１）の動き量Ｎをより大きい値（この例では１０倍）に補正し（図２２の右図）、補正された動き量Ｎの分布に基づいて、重心位置ＣＧを求める。
【００８５】
一般に、観察者は、表示画面Ｓに人物（顔）が表示された場合には、その顔に注目する可能性が高いと考えられる。よって、表示装置２Ｂでは、バックライト駆動部６３Ｂは、その顔が表示されるべき領域（この例では領域Ｚ３）における動き量Ｎを大きい値に補正する。これにより、重心位置ＣＧを、このような補正を行わない場合における重心位置ＣＧＲよりも、顔が表示されるべき領域Ｚ３に近づけることができ、領域Ｚ３における表示により適したタイミングでバックライト４０を発光させることにより、画質を高めることができる。
【００８６】
なお、この例では、人物の顔を検出するようにしたが、これに限定されるものではなく、観察者が注目する可能性が高いものであれば、どのようなものを検出してもよい。
【００８７】
［変形例２−３］
上記実施の形態に係る表示装置１に、上記第１の実施の形態の変形例１−１〜１−４を適用してもよい。
【００８８】
以上、いくつかの実施の形態および変形例を挙げて本技術を説明したが、本技術はこれらの実施の形態等には限定されず、種々の変形が可能である。
【００８９】
例えば、上記の各実施の形態等では、バックライト駆動部１３，６３は、線順次走査方向の動き量Ｎの重心位置ＣＧを求め、その重心位置ＣＧに応じたタイミングでバックライト４０が発光するように、バックライト４０を駆動したが、これに限定されるものではなく、これに代えて、例えば、バックライト４０が発光するタイミングが徐々に変化するようにバックライト４０を駆動してもよい。具体的には、例えば、ＩＩＲ（Infinite impulse response）フィルタを設け、求めた重心位置ＣＧをこのＩＩＲフィルタに入力し、その出力（重心位置ＣＧＦ）に応じたタイミングでバックライト４０が発光するようにすることができる。図２３は、本変形例に係る表示装置１Ｆにおける重心位置ＣＧＦの移動を表すものである。この例では、表示画面Ｓ上のボール９の位置が、タイミングｔ９において、ケースＣ１（図４（Ａ））からケースＣ２（図４（Ｂ））に変化した場合の、重心位置ＣＧＦの移動を示している。図２３に示したように、重心位置ＣＧＦは、ケースＣ１における重心位置ＣＧ１から、ケースＣ２における重心位置ＣＧ２へ、時定数τで徐々に変化する。これにより、バックライト４０の発光タイミングは、タイミングｔ９において急激に変化することなく、時定数τで徐々に変化する。これにより、表示装置１Ｆでは、バックライト４０の発光タイミングが急激に変化することがないため、観察者が表示画像を不自然に感じるおそれを低減することができる。
【００９０】
例えば、上記の各実施の形態等では、液晶表示部３０およびバックライト４０を用いたが、これに限定されるものではなく、これに代えて、例えば、ＣＲＴ（Cathode Ray Tube）表示装置、ＥＬ（Electro Luminescence）表示装置、ＬＥＤを表示素子とするＬＥＤ表示装置を用いてもよい。以下に、一例として、上記第１の実施の形態において、液晶表示部３０およびバックライト４０に代えてＥＬ表示部を用いた場合について説明する。
【００９１】
図２４は、本変形例に係る表示装置１Ｇの一構成例を表すものである。表示装置１Ｇは、表示制御部１３Ｇと、表示駆動部２０Ｇと、ＥＬ表示部３０Ｇとを備えている。表示制御部１３Ｇは、動きベクトル信号Ｓｖに基づいて領域Ｚ１〜Ｚ３における動き量Ｎを求めた後、線順次走査方向の動き量Ｎの重心位置ＣＧを求め、その重心位置ＣＧに応じて、表示駆動部２０Ｇを制御する。表示駆動部２０Ｇは、制御部１１から供給される映像信号Ｓdisp、および表示制御部１３Ｇから供給される制御信号に基づいて、ＥＬ表示部３０Ｇを駆動するものである。具体的には、表示駆動部２０Ｇは、ＥＬ表示部３０Ｇが、重心位置ＣＧに係る水平ラインにおける表示に最適なタイミングで発光するように、ＥＬ表示部３０Ｇを駆動する。ＥＬ表示部３０Ｇは、ＥＬ表示素子により構成されるものであり、例えば有機ＥＬ素子が適用可能である。
【００９２】
なお、本技術は以下のような構成とすることができる。
【００９３】
（１）表示画面から間欠的に表示光が発せられるように制御される表示部と、
前記表示部に表示されるべき映像の動き量に基づいて、前記表示光が発せられる表示光タイミングを制御する制御部と
を備えた表示装置。
【００９４】
（２）前記表示部は、線順次走査方向において複数の部分表示領域に区分され、
前記制御部は、各部分表示領域における映像の動き量に基づいて前記表示光タイミングを制御する
前記（１）に記載の表示装置。
【００９５】
（３）前記制御部は、各部分表示領域の映像の動き量に基づいて、線順次走査方向における動き量の重心位置を求め、その重心位置に基づいて前記表示光タイミングを制御する
前記（２）に記載の表示装置。
【００９６】
（４）前記制御部は、前記表示光タイミングを、前記重心位置に対応する水平ラインが表示される表示期間の最後部またはその近傍に設定する
前記（３）に記載の表示装置。
【００９７】
（５）前記制御部は、前記複数の部分表示領域のうち、前記映像の動き量が一番大きい部分表示領域を特定し、その特定された部分表示領域に基づいて前記表示光タイミングを制御する
前記（２）に記載の表示装置。
【００９８】
（６）前記制御部は、前記表示光タイミングを、前記特定された部分表示領域に対応する水平ラインが表示される表示期間の最後部またはその近傍に設定する
前記（５）に記載の表示装置。
【００９９】
（７）前記制御部は、複数の前記部分表示領域のうち、所定の部分表示領域における動き量を大きくするように補正する
前記（２）から（６）のいずれかに記載の表示装置。
【０１００】
（８）前記所定の部分表示領域は、表示画面の中央付近に位置している
前記（７）に記載の表示装置。
【０１０１】
（９）表示すべき画像において所定画像を識別する画像識別部を備え、
前記所定の部分表示領域は、前記所定画像が識別された部分表示領域である
前記（７）に記載の表示装置。
【０１０２】
（１０）前記所定画像は顔画像である
前記（９）に記載の表示装置。
【０１０３】
（１１）前記部分表示領域は、複数の水平ラインからなる領域である
前記（２）から（１０）のいずれかに記載の表示装置。
【０１０４】
（１２）前記部分表示領域は、１本の水平ラインからなる領域である
前記（２）から（１０）のいずれかに記載の表示装置。
【０１０５】
（１３）前記制御部は、複数のフレーム期間にわたって、前記表示光タイミングが徐々に変化するように制御する
前記（１）から（１２）のいずれかに記載の表示装置。
【０１０６】
（１４）前記表示部は、液晶表示部と、バックライトとを有する
前記（１）から（１３）のいずれかに記載の表示装置。
【０１０７】
（１５）前記バックライトは複数の部分発光部を有し、
前記液晶表示部は、各部分発光部に対応する領域において、複数の部分表示領域に区分され、
前記制御部は、前記部分発光部ごとに、対応する複数の部分表示領域のそれぞれにおける映像の動き量に基づいて発光タイミングを制御する
前記（１４）に記載の表示装置。
【０１０８】
（１６）前記表示部は、エレクトロルミネッセンス表示部である
前記（１）から（１３）のいずれかに記載の表示装置。
【０１０９】
（１７）表示部に表示されるべき映像の動き量を検出し、その動き量に基づいて、表示画面から間欠的に発せられる表示光のタイミングを制御し、映像表示を行う
表示方法。
【符号の説明】
【０１１０】
１，１Ｃ，１Ｄ，１Ｆ，１Ｇ，２，２Ｂ…表示装置、９，９Ａ〜９Ｃ…ボール、１１…制御部、１２，１２Ｃ…動きベクトル検出部、１３，１３Ｄ，６３，６３Ｂ…バックライト駆動部、１３Ｇ…表示制御部、６４…顔検出部、１９…フレームレート変換部、２０，２０Ｇ…表示駆動部、２１…タイミング制御部、２２…ゲートドライバ、２３…データドライバ、３０，３０Ｃ…液晶表示部、３０Ｇ…ＥＬ表示部、４０，５０…バックライト、５０Ａ，５０Ｂ…部分発光部、ＣＧ，ＣＧ１〜ＣＧ６，ＣＧＡ，ＣＧＢ…重心位置、Ｃｓ…保持容量素子、ＣＳＬ…保持容量線、ＧＣＬ…ゲート線、ＩＦ…顔検出情報、ＬＣ…液晶素子、Ｎ…動き量、Ｐdisp…表示期間、Ｐix…画素、ＰＬ…発光期間、Ｓ…表示画面、Ｓdisp，Ｓdisp2…映像信号、ＳＧＬ…データ線、Ｓｖ…動きベクトル信号、Ｔｒ…ＴＦＴ素子、Ｔ０，Ｔ１…周期、Ｚ１〜Ｚ３，ＺＡ１〜ＺＡ３，ＺＢ１〜ＺＢ３…領域。
【図１】
2013101258.tif 000003
【図２】
2013101258.tif 000004
【図３】
2013101258.tif 000005
【図４】
2013101258.tif 000006
【図５】
2013101258.tif 000007
【図６】
2013101258.tif 000008
【図７】
2013101258.tif 000009
【図８】
2013101258.tif 000010
【図９】
2013101258.tif 000011
【図１０】
2013101258.tif 000012
【図１１】
2013101258.tif 000013
【図１２】
2013101258.tif 000014
【図１３】
2013101258.tif 000015
【図１４】
2013101258.tif 000016
【図１５】
2013101258.tif 000017
【図１６】
2013101258.tif 000018
【図１７】
2013101258.tif 000019
【図１８】
2013101258.tif 000020
【図１９】
2013101258.tif 000021
【図２０】
2013101258.tif 000022
【図２１】
2013101258.tif 000023
【図２２】
2013101258.tif 000024
【図２３】
2013101258.tif 000025
【図２４】
2013101258.tif 000026